(57)【特許請求の範囲】
【請求項１】
記録機構部が載置される平面部と、この平面部の縁から下向きに立設された側板部とを有するベースフレームと、このベースフレームの下に着脱可能に連結され、前記平面部と前記側板部との間に基板収容室を形成する底板と、
前記記録機構部を制御する第１の基板と、前記記録機構部をコンピュータやキャッシュドロア等の各種機器に接続するための回路であり、これら各種機器から前記記録機構部に入力される情報を記憶するためのメモリを含む回路が実装された第２の基板と、を備え、
前記第１の基板を前記ベースフレームの平面部を貫通して略垂直に立設し、前記第２の基板を前記基板収容室内において前記第１の基板のスロットに差込接続し、
前記記録機構部及び前記ベースフレームに被さる外装ケースを備え、前記ベースフレームと前記底板とが前記第２の基板を収容した状態で固定部材によって分離不能に固定され、前記固定部材が固定状態で封印されると共に、前記外装ケースに、前記固定部材の封印状態を視認可能な窓が形成されたことを特徴とする記録装置。
【請求項２】
前記底板は、前記ベースフレームの側板部に重なる立板部を有し、前記固定部材は、前記立板部と前記側板部とを貫通して固定するものであって、
前記外装ケースの側面において、前記固定部材に対応する位置に前記窓が形成されたことを特徴とする請求項１記載の記録装置。
【請求項３】
前記ベースフレームと前記底板とは、その一方を所定方向にスライドさせることにより連結状態となり、逆方向にスライドさせることにより分離可能となるよう構成され、前記固定部材は、連結状態の前記ベースフレームと前記底板とを、上記逆方向にスライドしないよう連結することを特徴とする請求項２記載の記録装置。
【請求項４】
前記ベースフレームには、左右両縁から下向きに前記側板部が立設され、
前記底板の左右両端には上向きに底板側壁部が立設されており、
前記ベースフレームと前記底板とを連結した状態において、前記底板側壁部が前記ベースフレームの前記側板部の外側に位置することを特徴とする請求項１から３のいずれかに記載の記録装置。
【発明の詳細な説明】
【技術分野】
【０００１】
本発明は、記録するデータの処理を行う基板を備えた記録装置に関する。
【背景技術】
【０００２】
従来、紙等の記録媒体にデータを記録する記録装置は、記録するデータの各種処理を行う様々な回路が実装された基板を備えている。中でも、会計情報を処理するシステム（ＰＯＳシステム等）において使用される記録装置には、記録した会計情報を記憶するためのメモリ等を実装した基板を備えるものがあった（例えば、特許文献１参照）。
【特許文献１】特開平５−１２０５６７号公報
【発明の開示】
【発明が解決しようとする課題】
【０００３】
ところで、上述した記録装置においては、会計情報を確実に保存させるために、メモリ等を実装した基板の取り外し・交換ができないよう封印を施す場合がある。確実に封印をするためには、記録装置の主要な構造体である装置内部のフレームに封印を施すことが望ましい。
ところが、多くの場合、記録装置のフレームは外装に覆われているので、フレームに封印を施した場合、封印された箇所が外から見えにくいという問題があった。このため、封印状態を点検する際には、外装を外したり記録装置を持ち上げて傾けたりする作業が必要であった。
【０００４】
本発明は、上述した事情に鑑みてなされたものであり、記録するデータの処理を行う基板を備えた記録装置において、基板の取り外し・交換ができないよう封印が施された場合に、封印状態を容易に確認できる記録装置を提供することを目的とする。
【課題を解決するための手段】
【０００５】
上記課題を解決するため、本発明は、記録機構部が載置される平面部と、この平面部の縁から下向きに立設された側板部とを有するベースフレームと、このベースフレームの下に着脱可能に連結され、前記平面部と前記側板部との協働により基板収容室を形成する底板と、前記ベースフレームの平面部を貫通して略垂直に立設された第１の基板と、前記基板収容室内において前記第１の基板のスロットに差込接続された第２の基板と、前記記録機構部及び前記ベースフレームに被さる外装ケースとを備え、前記ベースフレームと前記底板とが前記第２の基板を収容した状態で固定部材によって分離不能に固定され、前記固定部材が固定状態で封印されると共に、前記外装ケースに、前記固定部材の封印状態を視認可能な窓が形成されたことを特徴としている。
これにより、ベースフレームと底板との協働により形成される基板収容室に第２の基板が収容された状態で、ベースフレームと底板とが固定部材により分離不能に固定され、この固定部材が封印されることで、第２の基板が取り出せないよう封印される。そして、封印された後は、固定部材の封印状態が外装ケースの窓から視認できるので、第２の基板を取り出せないようにするための封印の状態が、上記窓から目視によって極めて容易に確認できる。
【０００６】
また、前記底板は、前記ベースフレームの側板部に重なる立板部を有し、前記固定部材は、前記立板部と前記側板部とを貫通して固定するものであって、前記外装ケースの側面において、前記固定部材に対応する位置に前記窓が形成された構成としてもよい。この場合、記録装置の側面から固定部材の封印状態を視認できるので、既に設置済み或いは使用中の記録装置における封印状態を目視によって容易に確認できる。
【０００７】
さらに、前記ベースフレームと前記底板とは、その一方を所定方向にスライドさせることにより連結され、逆方向にスライドさせることにより分離するよう構成されたものとしてもよい。この場合、固定部材は、ベースフレームと底板とが所定方向にスライドしないよう規制するものであればよく、極めて容易に、かつ低コストで実現可能である。さらに、固定部材を配設する場所の自由度が高まるので、外部から見やすい場所に固定部材を配設して、封印状態の視認をより容易とすることができる。
【０００８】
また、前記ベースフレームには、左右両縁から下向きに前記側板部が立設され、前記底板の左右両端には上向きに底板側壁部が立設されており、前記ベースフレームと前記底板とを連結した状態において、前記底板側壁部が前記ベースフレームの前記側板部の外側に位置する構成としてもよい。この場合、ベースフレームと底板との連結状態において、底板側壁部によってベースフレームが挟まれた構成となるので、ベースフレームと底板との隙間が保護される。これにより、強引にベースフレームと底板とを分離させることが困難になるので、封印の信頼性を高めることができる。
【発明の効果】
【０００９】
本発明によれば、ベースフレームと底板とで形成される基板収容室に収容された第２の基板を取出せないように、封印が施された記録装置において、外装ケースの窓から封印状態を視認でき、封印状態を目視によって極めて容易に確認できる。
【発明を実施するための最良の形態】
【００１０】
以下、図面を参照して本発明の実施形態について説明する。
図１は、本発明を適用した実施形態に係る記録装置としてのサーマルプリンタ１００の外観斜視図である。サーマルプリンタ１００は、複数の発熱抵抗体が並べて配置されたサーマルヘッド８（図４）により、主にロール状のサーマル紙（感熱紙）である記録媒体（以下、ロール紙とする。）の記録面に、文字を含む画像を記録するものである。
サーマルプリンタ１００は、図１に示すように、メインケース１にロール紙カバー２及びカッタカバー３を組み付けて構成される略箱形の外装を有する。メインケース１は、サーマルプリンタ１００の前面下部、左右両側面及び後面を構成する。また、外装ケースとしてのメインケース１は、サーマルプリンタ１００の左右側面から上面に延び、前後方向略中央部における上面の一部を構成する。また、サーマルプリンタ１００は、その前面上部から上面前部にかけてカッタカバー３により覆われ、サーマルプリンタ１００の上面略中央部から後端はロール紙カバー２により覆われる。従って、サーマルプリンタ１００の上面においては、前方から順に、カッタカバー３、メインケース１、ロール紙カバー２が配設されている。
ロール紙カバー２は、サーマルプリンタ１００の上面後端を中心として上方に回動しつつ開放することができ、例えば、後述するロール紙ホルダ２６（図２）にロール紙をセットする場合等に開放される。カッタカバー３は、サーマルプリンタ１００の上面における基端部を中心として上方に開放可能に構成され、例えば、後述するオートカッタユニット９（図２）の設定を行う場合等に開放され、通常時（記録動作時等）は閉じられる。
【００１１】
サーマルプリンタ１００の前面において、カッタカバー３の中央には凹部が形成され、この凹部の下端にはコントロールパネル６が位置する。コントロールパネル６は、後述するメイン基板１０（図４）上の回路に電気的に接続された各種スイッチ及びインジケータ類を備え、具体的には、ロール紙の送り出しを指示するための紙送りボタン６ａ、サーマルプリンタ１００の動作状態を報知するインジケータ６ｂ等を備える。また、メインケース１の前面下隅部には、サーマルプリンタ１００の電源をＯＮ／ＯＦＦするための電源スイッチ５が配設されている。
また、サーマルプリンタ１００の上面において、メインケース１とロール紙カバー２との境界には排紙口１６が形成される。排紙口１６のメインケース１側には切刃を有するマニュアルカッタ４が設けられ、排紙口１６から排出されたロール紙をマニュアルカッタ４の切刃に押し付けて、手で切断できるようになっている。
【００１２】
図２は、記録機構部２０の斜視図である。
図２に示すように、サーマルプリンタ１００が内蔵する記録機構部２０は、左サイドフレーム２１、右サイドフレーム２２、及びベースフレーム２４からなる本体フレーム２０ｆを備える。
ベースフレーム２４は、略水平の平面部と、この平面部の前端部を略直角に下方に折り曲げて構成される前側板２４ｄと、平面部の左側端部を略直角に下方に折り曲げて構成される左側板２４ｅと、平面部の右側端部を略直角に下方に折り曲げて構成される右側板２４ｆとを有する。前側板の隅部には上述した電源スイッチ５が配設される。また、左側板２４ｅ及び右側板２４ｆには、後述する底板３０（図３）から突出して設置面に当接する脚部２８が、２個ずつ取り付けられている。
【００１３】
ベースフレーム２４の上には、左サイドフレーム２１及び右サイドフレーム２２が、記録機構部２０の両端部において互いに対向するように配置され、左サイドフレーム２１と右サイドフレーム２２との間にはフロントフレーム２３が掛け渡されている。
左サイドフレーム２１及び右サイドフレーム２２の前部には、フロント基板カバー１２及びリア基板カバー１３がベースフレーム２４に対して略垂直に立設され、その上にオートカッタユニット９が載置されている。
また、左サイドフレーム２１及び右サイドフレーム２２の後部には、ロール紙を収容するロール紙ホルダ２６が配設される。このロール紙ホルダ２６の上方には、ロール紙カバーフレーム２５が、左サイドフレーム２１及び右サイドフレーム２２にヒンジ２７を介して支持される。このロール紙カバーフレーム２５には上述したロール紙カバー２（図１）が固定され、ヒンジ２７を支点としてロール紙カバーフレーム２５と共に上方に開放可能となっている。
【００１４】
さらに、ベースフレーム２４の左側板２４ｅは、下端が水平に折り曲げられ、左側縁部２４ｇとなっている。同様に、右側板２４ｆの下端は水平に折り曲げられて右側縁部２４ｈとなっている。これら左側縁部２４ｇ及び右側縁部２４ｈは、ベースフレーム２４の外側に向かって突出する。
ベースフレーム２４の底面には底板３０が取り付けられる。底板３０は、ベースフレーム２４の底面を、その前端から略後端まで覆う板であり、底板３０の側縁部は上方に向けて略垂直に折り曲げられ、左側板３４及び右側板３５が形成されている。
ベースフレーム２４に底板３０を取り付けた状態において、左側板３４は左側縁部２４ｇの外側に位置し、右側板３５は右側縁部２４ｈの外側に位置する。すなわち、底板３０の左側板３４と右側板３５との間にベースフレーム２４が挟まれた状態となる。この状態において、左側縁部２４ｇと左側板３４との間、及び、右側縁部２４ｈと右側板３５との間は、いずれも極めて狭く、ほぼ接した状態となることが好ましい。これは、後述するように底板３０とベースフレーム２４とを連結した状態で、底板３０とベースフレーム２４とのガタつきを生じないようにして、確実な連結状態を保つためである。
【００１５】
図３は、サーマルプリンタ１００を底面側後方から見た概観斜視図である。
サーマルプリンタ１００の底面は、上述したように左側板２４ｅ及び右側板２４ｆに固定された４個の脚部２８が突き出た底板３０によって覆われる。底板３０は、サーマルプリンタ１００の底面を覆う平面部を有し、サーマルプリンタ１００の後部側で上方（ベースフレーム２４側）に向けて略垂直に折り曲げられ、後端立面部３１が形成されている。ベースフレーム２４と底板３０とが連結された状態では、ベースフレーム２４と底板３０との間に空間（基板収容室）が形成され、この空間内にインタフェース基板１１（図４）が収容される。この空間は、詳細には、ベースフレーム２４の平面部と、ベースフレーム２４の前側板２４ｄ、左側板２４ｅ、及び右側板２４ｆと、底板３０及びその後端立面部３１とによって囲まれ、ベースフレーム開口部２４ａのみにおいて開口する。
後端立面部３１は、インタフェース基板１１の後端に配設される外部コネクタ部２９と面一とされており、外部コネクタ部２９の各コネクタにケーブル等を接続するための孔が穿設されている。そして、後端立面部３１に穿設された孔から、外部コネクタ部２９のコネクタの電気的接点が露出する。
後端立面部３１に穿設された孔の数、サイズ及び形状は外部コネクタ部２９のコネクタを露出させるように構成され、この孔からインタフェース基板１１自体が露出することはなく、インタフェース基板１１を取り出すことは不可能である。
【００１６】
さらに、底板３０の後端立面部３１よりも後端側はさらに略直角に折り曲げられ、ベースフレーム２４に重なる平面部となっている。
また、後端立面部３１の両側端部には、ベースフレーム２４の左側板２４ｅ及び右側板２４ｆに沿って延びる立板部としての後端側板部３７が、それぞれ延設される。これら２枚の後端側板部３７は、左側板２４ｅ及び右側板２４ｆに各々重なる平板状に形成され、右側板２４ｆに重なる後端側板部３７には、後述する封印部４０を構成するビス受け４１が固定される。
そして、サーマルプリンタ１００の底面において、メインケース１の下端は底板３０の側縁まで達し、底板３０の側面を覆っている。
【００１７】
図４は、サーマルプリンタ１００の断面視図である。
図４に示すように、ロール紙ホルダ２６とフロントフレーム２３との間において、ヘッドフレーム８０が左サイドフレーム２１及び右サイドフレーム２２に架け渡され、このヘッドフレーム８０にはサーマルヘッド８が配設される。サーマルヘッド８は、その長手方向（すなわち、ロール紙の幅方向）に直線をなして並ぶ多数の発熱素子（図示略）を備え、ロール紙の記録面に接してロール紙を加熱することにより、文字を含む画像を記録する記録ヘッドである。
また、ロール紙カバーフレーム２５の前端部には、サーマルヘッド８に対向してプラテン７が配設される。プラテン７は搬送モータ（図示略）の動力により回転される丸プラテンであって、その回転動作によりロール紙を搬送する。プラテン７は、ロール紙ホルダ２６から引き出されたロール紙の裏面に接して、このロール紙をロール紙ホルダ２６から続けて引き出しつつ、排紙口１６へ向けて図中上方へ押し出すように搬送する。
プラテン７及びサーマルヘッド８の上方に位置するオートカッタユニット９は、可動刃９ａと、この可動刃９ａに対してロール紙の搬送路を挟んで対向する固定刃９ｂとを備え、可動刃９ａを固定刃９ｂに向けて動かすことにより、ロール紙が可動刃９ａと固定刃９ｂとに挟まれて切断される。
【００１８】
プラテン７及び固定刃９ｂはロール紙カバーフレーム２５の前部に支持されており、ロール紙カバー２の開放時に、ロール紙カバーフレーム２５と共に上後方に移動する。即ち、ロール紙カバー２を開放することにより、サーマルヘッド８及び可動刃９ａと、プラテン７及び固定刃９ｂとが離隔され、後述するようにロール紙をセットすることができる。
また、オートカッタユニット９の底板の端部は上方に曲げられてガイド９ｃとなっており、プラテン７により搬送されたロール紙を可動刃９ａと固定刃９ｂとの間に案内する。
プラテン７の後方に位置するロール紙ホルダ２６には、ロール紙の残量を検出するニアエンド検出器１７が配設され、このニアエンド検出器１７の検出結果に基づいて、インジケータ６ｂによりロール紙の残量が報知される。
【００１９】
ロール紙をサーマルプリンタ１００にセットする手順は以下の通りである。
まず、ロール紙カバー２を開き、ロール紙をロール紙ホルダ２６に投入する。続いてロール紙の先端を排紙口１６の上に達するまで引き出し、この状態でロール紙カバー２を綴じる。このとき、ロール紙の先端が自然に可動刃９ａと固定刃９ｂとの間、及び、サーマルヘッド８とプラテン７との間に挟まれ、さらにロール紙カバーフレーム２５によりロール紙の側端部が規制されて、ロール紙のセットが完了する。
そして、記録動作時には、プラテン７によりロール紙が引き出されるとともにサーマルヘッド８によって画像が記録される。このロール紙はプラテン７によって排紙口１６へ向けて搬送され、画像が記録された部分が排紙口１６から外部に搬出されたところで、オートカッタユニット９が動作してロール紙が切断される。
【００２０】
図４に示すように、フロント基板カバー１２及びリア基板カバー１３の間には、第１の基板としてのメイン基板１０が縦置きに配設されている。メイン基板１０は、フロント基板カバー１２及びリア基板カバー１３により電磁的にシールドされ、さらに、リア基板カバー１３に固定される。このメイン基板１０は、サーマルプリンタ１００全体を制御する制御基板であり、具体的には、搬送モータ（図示略）を駆動してプラテン７を回転させるとともに、所定の印刷データに基づいてサーマルヘッド８が有する発熱素子（図示略）を発熱させ、ロール紙に対する記録制御を行う。
メイン基板１０の上部にはフラットケーブルコネクタ１０ｆが設けられ、このフラットケーブルコネクタ１０ｆには、サーマルヘッド８に接続されたフラットケーブル１５が差し込まれており、このフラットケーブル１５を介してサーマルヘッド８の発熱素子（図示略）がメイン基板１０に実装された制御回路により制御される。
【００２１】
図５は、記録機構部２０の要部を示す斜視図である。
図５に示すように、上述したフロント基板カバー１２、リア基板カバー１３、及び、メイン基板１０の下部は、ともにベースフレーム２４に設けられたベースフレーム開口部２４ａを貫通して、底板３０近傍まで延設される。リア基板カバー１３には、ベースフレーム２４よりも下方の位置においてリア基板カバー開口部１３ａが設けられ、このリア基板カバー開口部１３ａと同じ高さ位置において、メイン基板１０にはスロットとしての基板コネクタ１０ｉが配設される。
【００２２】
基板コネクタ１０ｉには、第２の基板としてのインタフェース基板１１が接続される。基板コネクタ１０ｉはボードｔｏボードコネクタであり、インタフェース基板１１の先端に形成された端子部を基板コネクタ１０ｉに差し込むことで、インタフェース基板１１に実装されたインタフェース回路とメイン基板１０上の回路とが接続される。インタフェース基板１１のインタフェース回路は、サーマルプリンタ１００をコンピュータやキャッシュドロア等の各種機器に接続するための回路であり、これら各種機器からサーマルプリンタ１００に入力される情報を記憶するためのメモリ等が含まれる。このインタフェース回路には、図４に示すようにインタフェース基板１１の後端に配設された各種コネクタからなる外部コネクタ部２９が接続される。インタフェース基板１１の後端はサーマルプリンタ１００の略中央まで延びており、インタフェース基板１１の後端に配設された外部コネクタ部２９は、底板３０の後端立面部３１（図３、図４）から露出する。
【００２３】
以上のように構成されるサーマルプリンタ１００は、封印部４０による封印が施され、ベースフレーム２４（図２）の下方に収容されたインタフェース基板１１（図４）が取り出せないようになっている。
図６は、サーマルプリンタ１００におけるベースフレーム２４と底板３０との接合状態を特に示す斜視図である。
図６に示すように、ベースフレーム２４の後部には２個のツメ係合部２４ｂが設けられ、底板３０にはツメ係合部２４ｂに対応する位置に２個のツメ３２が設けられる。
ツメ係合部２４ｂは、図６及び図３に示すように、ベースフレーム２４の平面部に幅方向に切り込みがなされ、この切り込みの前側が下方（底板３０側）に押し出されることで、切り込みが拡がって開口部となったものである。一方、ツメ３２は、底板３０の後端部でベースフレーム２４に重なる平面部において、前方に向けて設けられた板片であり、その先端は底板３０の面よりもベースフレーム２４側に浮き上がっている。
そして、２個のツメ３２を、ツメ係合部２４ｂの開口部に対して後方から差し込むことにより、ツメ３２がベースフレーム２４の上面側に突き出てベースフレーム２４と底板３０とが係止される。
【００２４】
また、ベースフレーム２４において、前側板２４ｄの略中央にはスリット２４ｃが設けられる。一方、底板３０は、その前端から突出する先端突出部３３を備える。先端突出部３３はスリット２４ｃに対応する位置に設けられ、この先端突出部３３を、後方（インタフェース基板１１が収容される側）からスリット２４ｃに差し込むことにより、ベースフレーム２４と底板３０とが係止される。
【００２５】
従って、底板３０をベースフレーム２４の底面側に重ね、図６中に符号Ａで示すように、ベースフレーム２４の後方から前に向けてスライドさせると、ツメ係合部２４ｂにツメ３２が差し込まれるとともに、スリット２４ｃに先端突出部３３が差し込まれる。これにより、ベースフレーム２４と底板３０とが係止される。この状態で、ベースフレーム２４と底板３０とは、上下に引き離されず、かつ、底板３０がベースフレーム２４に対して前（符号Ａで示す向き）に移動しないよう連結される。
この連結状態を解除してベースフレーム２４と底板３０とを分離させるためには、底板３０を、図６中に符号Ｂで示すように、ベースフレーム２４に対して後方にスライドさせて、スリット２４ｃから先端突出部３３を引き抜くとともにツメ係合部２４ｂから先端突出部３３を引き抜けばよい。
【００２６】
このように、ベースフレーム２４と底板３０とは、互いに重ね合わせた状態で、その一方を所定方向にスライドさせることにより、着脱可能に構成される。そして、連結状態においては、ベースフレーム２４と底板３０とは、上下に分離せず、かつ、底板３０がベースフレーム２４より前に移動しないよう規制される。
従って、連結状態のベースフレーム２４と底板３０を分離するためには、図６中に符号Ｂで示す方向に底板３０をスライドさせなければならない。逆に言えば、底板３０が符号Ｂ方向にスライドできないようにするだけで、容易に、ベースフレーム２４と底板３０とを分離不能に固定できる。
【００２７】
加えて、底板３０の側縁部には底板側壁部としての左側板３４、右側板３５が形成され、これら左側板３４及び右側板３５によってベースフレーム２４の左側縁部２４ｇ及び右側縁部２４ｈを挟む構成となっている。左側縁部２４ｇと左側板３４との間、及び、右側縁部２４ｈと右側板３５との間は非常に狭く、望ましくはほぼ接する状態とされている。このため、ベースフレーム２４と底板３０との連結状態においてガタつきは殆ど無く、上記所定方向に対して斜めの向きに力を加えても連結状態を解除することはできない。
【００２８】
そして、連結状態におけるベースフレーム２４と底板３０とは、連結状態が解除されないように封印部４０によって固定・封印される。
図７は、封印部４０の構成を示す分解斜視図である。
封印部４０は、後端側板部３７と右側板２４ｆとを挟んで固定するものであり、後端側板部３７に固定される固定部材としてのビス受け４１と、右側板２４ｆに固定されるカップ４２と、カップ４２を介してビス受け４１に嵌入される固定部材としてのビス４３と、ビス４３の上からカップ４２に嵌め込まれる蓋体４４とを備えて構成される。
【００２９】
ビス受け４１は円柱形状の部材であり、雌ねじが形成された孔を有する。後端側板部３７にはビス止め用孔３７ａが穿設され、さらに、後端側板部３７と重なる右側板２４ｆには、ビス止め用孔３７ａに連通するビス止め用孔２４ｉが穿設される。
また、ビス止め用孔２４ｉの表面に固定されるカップ４２は、中央に貫通孔が形成され、この貫通孔の周囲に凹部４２ａが形成された円柱形部材である。この凹部４２ａには、後述するように蓋体４４が押し込まれる。押し込まれた蓋体４４の脱落を防止するため、凹部４２ａの内部は、その開口部よりもやや大径に構成されている。
ビス４３は、カップ４２の貫通孔よりも大径の頭と、ビス止め用孔２４ｉ及びビス止め用孔３７ａよりも小径の軸部を有し、この軸部には、ビス受け４１の孔の雌ねじに対応する雄ねじが形成されている。蓋体４４は、カップ４２の凹部４２ａに嵌め込まれた場合に凹部４２ａからはみ出すサイズに形成された略円盤状部材であり、比較的容易に変形可能な軟質の金属で構成される。
そして、ビス受け４１は、後端側板部３７と一体に形成され、或いは溶接又はプレス加工等により後端側板部３７に分離不能に固定されている。
【００３０】
後端側板部３７と右側板２４ｆとを固定する場合、右側板２４ｆの表面にカップ４２を配置させた状態で、ビス４３をカップ４２の貫通孔に差し入れる。そして、ビス４３の軸部が、ビス止め用孔２４ｉ及びビス止め用孔３７ａを通ってビス受け４１の孔に達するまでビス４３を差し込んで、ビス４３を締め込む。これにより、後端側板部３７と右側板２４ｆとが結合され、図６中に符号Ａ、Ｂで示す向きにスライドさせることはできない。
この状態で、凹部４２ａに蓋体４４を嵌め込むと、蓋体４４の一部が凹部４２ａからはみ出す。ここで、はみ出した蓋体４４を、凹部４２ａに押し込む方向に叩いて変形させることにより、蓋体４４が離脱不可能に凹部４２ａに固定され、封印部４０が確実に封印される。仮に、封印後の封印部４０を分解してビス４３を取り外そうとすれば、凹部４２ａに叩き込まれた蓋体４４を除去しなければならない。このため、封印部４０の封印状態が保持されているか、或いは封印が外されたかを、外見上、極めて明瞭に判別できる。
【００３１】
そして、封印部４０は、メインケース１の外側からも視認可能である。すなわち、上述したように、封印部４０が封印された後のベースフレーム２４及び底板３０には、メインケース１が被せられる。ここで、図１に示すように、メインケース１には、封印部４０の外径と略同型か、より大径の窓としての封印確認孔１ａが形成されており、この封印確認孔１ａから封印部４０（特にカップ４２）が露出する。
このため、封印部４０が封印されているか否か、及び、封印部４０の封印が保持されているか否かが、メインケース１の外側からも目視できる。さらに、サーマルプリンタ１００の側面において封印確認孔１ａが設けられ、この封印確認孔１ａから封印部４０の封印状態を視認できるので、サーマルプリンタ１００を持ち上げて裏返したり分解したりすることなく、サーマルプリンタ１００の使用状態のままで、封印部４０の封印状態を確認できる。
従って、本実施形態のサーマルプリンタ１００においては、封印部４０の封印状態を、目視によって極めて明瞭に、かつ容易に判別できるという利点がある。
【００３２】
なお、上記の実施形態においては、ビス受け４１に雌ねじを形成して、ビス４３をねじ込む構成としたが、本発明はこれに限定されるものではなく、例えば、ビス受け４１及びビス４３に代えて、アルミニウム等の柔らかい金属製のカシメを用いてもよい。この場合、後端側板部３７、右側板２４ｆ及びカップ４２を挟むように両面をカシメで固定し、その後、蓋体４４を嵌め込んで叩いて変形させ、封印すればよい。
また、上記の実施形態において、蓋体４４を嵌め込んだ後、蓋体４４を叩き込む際に、蓋体４４の表面に刻印を施してもよい。この刻印は、正当な権限を有する者のみが使用可能とされ、複製が困難なものであれば、なお好ましい。この場合、封印部４０の複製、すなわち、封印部４０を破壊した後、再びビス４３を締め込んで蓋体４４を嵌め込んで叩いて変形させ、正規の封印を偽装する行為を防止できる。
【００３３】
また、上記の実施形態において、蓋体４４を叩き込むことによる封印に代えて、ワイヤと、このワイヤを束ねて固定される結束具とを用いてもよい。
具体的には、ビス４３に代えて、ワイヤを通す通し孔が形成された封印用ビスをねじ込んで後端側板部３７と右側板２４ｆとを固定し、固定状態において、封印用ビスにワイヤを通す。このワイヤを、さらに他の箇所（例えば、右側板２４ｆに立設される突起（図示略）や、他の封印用ビス）にも掛け回し、封印用ビスの回転を規制する程度の張力を与えてワイヤを結束具により結束する。この場合、ベースフレーム２４と底板３０とを分離しようとすれば、封印用ビスを回す必要があり、ワイヤを除去しなければならない。ここで、結束具を、いったん結束した後は取り外しができない構造とすれば、封印の効果が発揮される。結束具の例としては、例えば、ワイヤを挟み込む２枚の板と、この板を重ねた状態で固定するツメとを備え、このツメを破壊しない限り２枚の板を分離できない構成が挙げられるが、このほかに、紙等の脆弱なものを用いてワイヤを結束することもできる。
この例では、メインケース１の封印確認孔１ａを、ワイヤと結束具とが目視可能な程度の大きさにすれば、上記実施形態と同様に、メインケース１の外側から、目視によって極めて明瞭かつ容易に封印状態を判別できるという利点が得られる。さらに、ワイヤを束ねることなく、ワイヤの端部を、証紙等により右側板２４ｆに貼り付ける構成としても、同様の効果が得られる。
このように、封印部４０は、（１）それを除去しなければベースフレーム２４と底板３０とを分離することが不可能なものであって、（２）破壊しなければ除去できない、或いは、除去した場合及び除去しようとした場合は確実に痕跡が残る、との条件を満たすものであればよい。
【００３４】
さらに、封印確認孔１ａは、封印部４０の封印状態を視認可能であれば良く、上述した貫通孔に限定されず、例えば、メインケース１に孔を穿設した上で、この孔を塞ぐ透明板（合成樹脂製またはガラス製）を設けてもよい。この場合、メインケース１の外側から目視によって明瞭かつ容易に封印状態を判別できるという利点はそのままに、封印が施された部分（封印部４０等）がメインケース１の外側に突出しないようにすることができる。また、封印が施された部分の汚損を防止できるという利点がある。また、封印確認孔１ａの形状も任意であり、三角形及び矩形を含む多角形、或いは、複数のスリットから構成されるものとしてもよい。
また、上記実施形態では、記録装置としてサーマルプリンタを例示したが、これに限らず、例えば、ドットインパクト方式やインクジェット方式のプリンタであってもよい。さらには、複写機やファクシミリ等の電子写真方式により画像を記録する記録装置に適用することも可能である。
【図面の簡単な説明】
【００３５】
【図１】実施形態におけるサーマルプリンタの正面斜視図である。
【図２】記録機構部の斜視図である。
【図３】サーマルプリンタの底面側の斜視図である。
【図４】サーマルプリンタの断面視図である。
【図５】基板近傍の背面斜視図である。
【図６】ベースフレームの斜視図である。
【図７】封印部の分解斜視図である。
【符号の説明】
【００３６】
１…メインケース（外装ケース）、１ａ…封印確認孔（窓）、７…プラテン、８…サーマルヘッド、１０…メイン基板（第１の基板）、１０ｉ…基板コネクタ（スロット）、１１…インタフェース基板（第２の基板）、１２…フロント基板カバー、１３…リア基板カバー、１６…排紙口、２０…記録機構部、２４…ベースフレーム、２４ａ…ベースフレーム開口部、２４ｂ…ツメ係合部、２４ｃ…スリット、２４ｄ…前側板、２４ｅ…左側板、２４ｆ…右側板、２４ｇ…左側縁部、２４ｈ…右側縁部、２４ｉ…ビス止め用孔、２９…外部コネクタ部、３０…底板、３１…後端立面部、３２…ツメ、３３…先端突出部、３４…左側板（底板側壁部）、３５…右側板（底板側壁部）、３７…後端側板部（立板部）、３７ａ…ビス止め用孔、４０…封印部、４１…ビス受け（固定部材）、４２…カップ、４３…ビス（固定部材）、４４…蓋体、１００…サーマルプリンタ（記録装置）。
【図１】
0004618044.tif 000002
【図２】
0004618044.tif 000003
【図３】
0004618044.tif 000004
【図４】
0004618044.tif 000005
【図５】
0004618044.tif 000006
【図６】
0004618044.tif 000007
【図７】
0004618044.tif 000008